(57)【特許請求の範囲】
【請求項１】
印刷用紙に対して画像を形成する画像形成部と、用紙排出を行う排出装置とを制御する画像形成装置であって、
入力された複数の処理要求を実行する際に、現在実行中の処理要求の後続の処理要求を実行すると当該後続の処理要求の実行中に前記排出装置の排紙トレイが満杯になると、現在実行中の処理要求の実行中に判断された場合に、操作者に対して前記排紙トレイから印刷用紙を除去するよう促す通知を行うとともに、後続の次の処理要求が開始されるタイミングまでに前記排紙トレイの印刷用紙が除去されなかった場合に、処理要求の順序入替えを行なうことを決定する決定手段と、
前記決定手段により処理要求の順序入替えを行うことが決定された場合に、排出装置以外の周辺装置を指定する処理要求を後続の処理要求の中から検索して、その検索結果に基づいて処理要求の順序を入れ替える装置制御手段と、
を有する画像形成装置。
【請求項２】
印刷用紙に対して画像を形成する画像形成装置と、
前記画像形成装置に接続され、用紙排出を行う排出装置と、
入力された複数の処理要求を実行する際に、現在実行中の処理要求の後続の処理要求を実行すると当該後続の処理要求の実行中に前記排出装置の排紙トレイが満杯になると、現在実行中の処理要求の実行中に判断された場合に、操作者に対して前記排紙トレイから印刷用紙を除去するよう促す通知を行うとともに、後続の次の処理要求が開始されるタイミングまでに前記排紙トレイの印刷用紙が除去されなかった場合に、処理要求の順序入替えを行なうことを決定する決定手段と、
前記決定手段により処理要求の順序入替えを行うことが決定された場合に、排出装置以外の周辺装置を指定する処理要求を後続の処理要求の中から検索して、その検索結果に基づいて処理要求の順序を入れ替える装置制御手段と、
を有する画像形成システム。
【請求項３】
印刷用紙に対して画像を形成する画像形成装置、及び、この画像形成装置に接続され、用紙排出を行う排出装置を制御するためのプログラムであって、
入力された複数の処理要求を実行する際に、現在実行中の処理要求の後続の処理要求を実行すると当該後続の処理要求の実行中に前記排出装置の排紙トレイが満杯になると、現在実行中の処理要求の実行中に判断された場合に、操作者に対して前記排紙トレイから印刷用紙を除去するよう促す通知を行うとともに、後続の次の処理要求が開始されるタイミングまでに前記排紙トレイの印刷用紙が除去されなかった場合に、処理要求の順序入替えを行なうことを決定するステップと、
処理要求の順序入替えを行うことが決定された場合に、排出装置以外の周辺装置を指定する処理要求を後続の処理要求の中から検索して、その検索結果に基づいて処理要求の順序を入れ替えるよう制御するステップと、
をコンピュータに実行させるためのプログラム。
【発明の詳細な説明】
【技術分野】
【０００１】
本発明は、画像形成装置及び周辺装置を含む画像処理システムに関する。
【背景技術】
【０００２】
例えば、特許文献１には、ジャム紙及びジャム発生後搬送された紙の除去を容易にする区分装置が開示されている。
【特許文献１】特開昭５７−０５７１６１号公報
【発明の開示】
【発明が解決しようとする課題】
【０００３】
本発明は、装置のダウンタイムを低減させることを目的とする。
【課題を解決するための手段】
【０００４】
請求項１に係る本発明は、印刷用紙に対して画像を形成する画像形成部と、用紙排出を行う排出装置とを制御する画像形成装置であって、
入力された複数の処理要求を実行する際に、現在実行中の処理要求の後続の処理要求を実行すると当該後続の処理要求の実行中に前記排出装置の排紙トレイが満杯になると、現在実行中の処理要求の実行中に判断された場合に、操作者に対して前記排紙トレイから印刷用紙を除去するよう促す通知を行うとともに、後続の次の処理要求が開始されるタイミングまでに前記排紙トレイの印刷用紙が除去されなかった場合に、処理要求の順序入替えを行なうことを決定する決定手段と、
前記決定手段により処理要求の順序入替えを行うことが決定された場合に、排出装置以外の周辺装置を指定する処理要求を後続の処理要求の中から検索して、その検索結果に基づいて処理要求の順序を入れ替える装置制御手段とを有する。
【００１０】
請求項２に係る本発明は、印刷用紙に対して画像を形成する画像形成装置と、
前記画像形成装置に接続され、用紙排出を行う排出装置と、
入力された複数の処理要求を実行する際に、現在実行中の処理要求の後続の処理要求を実行すると当該後続の処理要求の実行中に前記排出装置の排紙トレイが満杯になると、現在実行中の処理要求の実行中に判断された場合に、操作者に対して前記排紙トレイから印刷用紙を除去するよう促す通知を行うとともに、後続の次の処理要求が開始されるタイミングまでに前記排紙トレイの印刷用紙が除去されなかった場合に、処理要求の順序入替えを行なうことを決定する決定手段と、
前記決定手段により処理要求の順序入替えを行うことが決定された場合に、排出装置以外の周辺装置を指定する処理要求を後続の処理要求の中から検索して、その検索結果に基づいて処理要求の順序を入れ替える装置制御手段とを有する。
【００１１】
請求項３に係る本発明は、印刷用紙に対して画像を形成する画像形成装置、及び、この画像形成装置に接続され、用紙排出を行う排出装置を制御するためのプログラムであって、
入力された複数の処理要求を実行する際に、現在実行中の処理要求の後続の処理要求を実行すると当該後続の処理要求の実行中に前記排出装置の排紙トレイが満杯になると、現在実行中の処理要求の実行中に判断された場合に、操作者に対して前記排紙トレイから印刷用紙を除去するよう促す通知を行うとともに、後続の次の処理要求が開始されるタイミングまでに前記排紙トレイの印刷用紙が除去されなかった場合に、処理要求の順序入替えを行なうことを決定するステップと、
処理要求の順序入替えを行うことが決定された場合に、排出装置以外の周辺装置を指定する処理要求を後続の処理要求の中から検索して、その検索結果に基づいて処理要求の順序を入れ替えるよう制御するステップとをコンピュータに実行させる。
【発明の効果】
【００１２】
本発明によれば、画像形成装置又は周辺装置のダウンタイムを低減させることができる。
【発明を実施するための最良の形態】
【００１３】
図１は、画像形成システム１を例示する図である。
図１に例示するように、画像形成システム１は、画像形成装置１０、及び、複数の後処理装置３０を有する。
画像形成装置１０は、各後処理装置３０と、直接又は間接的に接続されている。
画像形成装置１０には、制御装置１００、複数の給紙装置２０、及び操作部４０が設けられている。
制御装置１００は、例えば、画像形成装置１０の各構成（プリントエンジン、給紙装置２０、操作部４０など）と、後処理装置３０とを制御する。
なお、本実施形態における給紙装置２０及び後処理装置３０は、本発明に係る周辺装置の具体例である。
【００１４】
画像形成装置１０は、操作者からの処理要求（以下、ジョブ）に応じて、印刷用紙（画像記録媒体）に画像を形成する。より具体的には、画像形成装置１０に外部からジョブが投入されると、制御装置１００は、受信したジョブに応じて、画像形成装置１０の各構成及び後処理装置３０に対して制御信号を出力する。画像形成装置１０の給紙装置２０は、制御装置１００からの制御信号に応じて、ジョブにより指定された印刷用紙をプリントエンジンに供給する。画像形成装置１０のプリントエンジンは、制御装置１００からの制御信号に応じて、給紙装置２０から供給された印刷用紙に画像を形成する。画像が形成された印刷用紙は、制御装置１００からの制御信号に応じて、いずれかの後処理装置３０に送出される。後処理装置３０は、制御装置１００からの制御信号に応じて、画像形成装置１０により画像が形成された印刷用紙に対して、後処理を施す。
ここで、後処理とは、画像が形成された後の印刷用紙に対して施される処理であり、例えば、ステープル処理、製本処理、用紙排出処理などである。
操作部４０は、操作者からの指示を受け付けるユーザインタフェースであり、例えば、タッチパネルである。
【００１５】
図２は、制御装置１００（図１）にインストールされた制御プログラム５の機能構成を例示する図である。
図２に例示するように、制御プログラム５は、ジョブ検索部５００、処理能力監視部５１０、決定部５２０、装置制御部５３０、及び、解除措置検出部５４０を有する。また、装置制御部５３０は、解除措置通知部５３２及びジョブ入替部５３４を含む。
なお、本例の制御プログラム５は、ソフトウェアで実装しているが、その一部又は全部がＡＳＩＣなどによってハードウェア的に実装されてもよい。
【００１６】
制御プログラム５において、ジョブ検索部５００は、操作者から投入されたジョブを探索して、後続のジョブによって指定された内容（以下、指定情報）を特定し、特定された指定情報を決定部５２０に出力する。ここで、後続のジョブとは、処理中のジョブ以外のジョブである。既処理のジョブは、処理の終了と共に消滅するため、後続のジョブとは、処理中のジョブを除く、未処理の処理要求である。
ジョブには、図３（Ａ）に例示するように、例えば、印刷すべき画像データ、印刷部数、印刷用紙を指定する用紙指定情報、及び、施すべき後処理を指定する後処理指定情報などが含まれている。
【００１７】
処理能力監視部５１０は、周辺装置（例えば、給紙装置２０、後処理装置３０）の処理能力を監視し、各周辺装置の処理能力を決定部５２０に出力する。周辺装置の処理能力とは、各周辺装置が外部からの補助又は補充なしで、処理可能な量であり、例えば、各給紙装置２０に残っている印刷用紙の枚数、後処理装置３０で後処理可能な枚数などである。
【００１８】
決定部５２０は、投入されているジョブの内容と、周辺装置の処理能力とに基づいて、操作者に対する通知、又は、ジョブの順序入替えを行うか否かを決定する。操作者に対する通知とは、例えば、操作者による措置（解除措置）を促すメッセージの表示や警告音である。
より具体的には、決定部５２０は、複数のジョブが存在する場合に、後続のジョブの内容と、このジョブで指定された指定情報とに基づいて、後続のジョブを処理した時に、これらのジョブの要求が周辺装置の処理能力を超えるか否かを判断し、超えると判断された場合に、操作者に対する通知を行うことを決定する。なお、本例では、操作者に対する通知は、ジョブの順序入替えの前提条件となる。すなわち、操作者に対して解除措置を促すメッセージを表示した後、既定のタイミングまでに解除措置が検知されなかった場合には、ジョブの順序入替えが許容される。
【００１９】
装置制御部５３０は、決定部５２０の決定に応じて、画像形成装置１０の各構成、及び、後処理装置３０の少なくとも一方を制御する。
より具体的には、装置制御部５３０の解除措置通知部５３２は、決定部５２０によって操作者に対する通知を行うよう決定された場合に、操作部４０（図１）を制御して、解除措置を促すメッセージを表示させる。また、ジョブ入替部５３４は、解除措置通知部５３２によって解除措置を促すメッセージが表示された後、所定のタイミングまでに、解除措置検出部５４０によって解除措置が検出されなかった場合に、ジョブの入替えを開始する。ジョブの入替えは、解除措置が必要な周辺装置（後続のジョブで処理能力を超える給紙装置２０又は後処理装置３０）が切り替わるようになされる。すなわち、ジョブ入替部５３４は、解除措置が促された周辺装置（給紙装置２０又は後処理装置３０）とは異なる周辺装置を指定する後続ジョブを検索し、このような後続ジョブが存在する場合に、ジョブの順序入替えを行なう。
【００２０】
解除措置検出部５４０は、画像形成装置１０及び後処理装置３０に設けられたセンサからの信号に基づいて、解除措置がなされたか否かを検出し、検出結果を装置制御部５３０に出力する。
【００２１】
図３は、ジョブの入替えを例示する図である。
図３（Ａ）に例示するように、各ジョブには、画像データの他に、印刷部数、用紙指定情報、後処理指定情報などが含まれている。
図３（Ｂ）に例示するように、画像形成装置１０に複数のジョブ（ジョブ１〜ジョブ３）がたまった場合、通常は、ジョブが投入された順序で処理される。しかしながら、本実施形態の制御装置１００（制御プログラム５）は、次のジョブ（本図では「ジョブ２」）において処理能力を超えると判断された場合（本図では、「ジョブ２」の実行中にステープル針が無くなり、ステープル処理ができなくなる）、図３（Ｃ）に例示するように、他の後処理（本図ではパンチ処理）を指定する「ジョブ３」と、「ジョブ２」とを入れ替える。これによって、「ジョブ３」が処理されている間に、解除措置（ステープル針の補充）が可能になる。
【００２２】
次に、画像形成システム１の動作例を説明する。
図４は、画像形成システム１における後処理の動作（Ｓ１０)を例示するフローチャートである。
図４に示すように、ステップ１０２（Ｓ１０２）において、画像形成装置１０の制御装置１００は、操作者のコンピュータ端末からジョブを受信すると、ジョブの受信順に、印刷処理を開始するよう画像形成装置１０の各構成（給紙装置２０及びプリントエンジンなど）を制御する。
なお、ジョブの受信は、印刷処理の開始時（Ｓ１０２）だけでなく、印刷処理の実行中（Ｓ１０４〜Ｓ１２０）にも並行してなされる。
【００２３】
ステップ１０４（Ｓ１０４）において、制御装置１００（制御プログラム５）のジョブ検索部５００は、ジョブが複数存在するか否かを判断する。
制御プログラム５は、ジョブが複数存在する場合に、Ｓ１０６の処理に移行し、ジョブが複数存在しない場合に、Ｓ１２０の処理に移行する。
【００２４】
ステップ１０６（Ｓ１０６）において、ジョブ検索部５００は、次のジョブ（すなわち、処理中のジョブの次に受信したジョブ）で指定された後処理の内容を特定し、特定された後処理の内容を決定部５２０に通知する。
なお、処理能力監視部５１０は、後処理装置３０に設けられたセンサからの情報に基づいて、各後処理装置３０の処理能力（すなわち、後処理可能な枚数）を監視し、決定部５２０に出力している。
【００２５】
ステップ１０８（Ｓ１０８）において、決定部５２０は、ジョブ検索部５００から通知された後処理の内容（後処理の種類及び要求枚数）と、処理能力監視部５１０から入力された後処理装置３０の処理能力（ジョブで指定された後処理装置の処理可能枚数）とを比較して、次のジョブにおいて後処理が可能であるか否か（すなわち、ジョブで要求される後処理が、このジョブで指定された後処理装置３０の処理能力を超えるか否か）を判断する。
制御プログラム５は、決定部５２０により後処理が可能であると判断された場合に、Ｓ１２０の処理に移行し、後処理が不可能であると判断された場合（すなわち、次のジョブの要求が、このジョブで指定された後処理装置３０の処理能力を超えると判断された場合）に、Ｓ１１０の処理に移行する。
【００２６】
ステップ１１０（Ｓ１１０）において、装置制御部５３０の解除措置通知部５３２は、決定部５２０により後処理が不可能であると判断された場合（すなわち、次のジョブで指定された後処理装置３０に対して解除措置が必要である場合）に、後処理装置３０に対する解除措置を促すメッセージを操作部４０に表示させる。
操作者は、操作部４０に表示されたメッセージによって、次のジョブが開始される前に、解除措置の必要性を知ることができる。
【００２７】
ステップ１１２（Ｓ１１２）において、装置制御部５３０は、解除措置検出部５４０による検出結果に基づいて、所定のタイミング（例えば、次のジョブが開始されるタイミング）までに解除措置（上記メッセージに対応する措置）がなされたか否かを判断する。なお、解除措置検出部５４０は、間欠的に、後処理装置３０に対する解除措置を監視しており、解除措置がなされたことを検出すると、その旨を装置制御部５３０に出力する。
制御プログラム５は、装置制御部５３０によって解除措置がなされたと判断された場合に、Ｓ１２０の処理に移行し、解除措置がなされていないと判断された場合に、Ｓ１１４の処理に移行する。
【００２８】
ステップ１１４（Ｓ１１４）において、ジョブ入替部５３４は、所定のタイミングまでに解除措置がなされていないと判断された場合に、次のジョブと異なる後処理装置３０を指定する後続ジョブを検索する。
【００２９】
ステップ１１６（Ｓ１１６）において、制御プログラム５は、異なる後処理装置３０を指定する後続ジョブが存在する場合に、Ｓ１１８の処理に移行し、存在しない場合に、Ｓ１２０の処理に移行する。
【００３０】
ステップ１１８（Ｓ１１８）において、ジョブ入替部５３４は、次のジョブと、発見された後続ジョブ（異なる後処理装置を指定するジョブ）との順序を入れ替える。
【００３１】
ステップ１２０（Ｓ１２０）において、制御装置１００は、投入されているジョブに従って、印刷処理及び後処理を続行するよう、画像形成装置１０の各構成及び後処理装置３０を制御する。
【００３２】
ステップ１２２（Ｓ１２２）において、制御装置１００は、投入されたジョブが全て処理されて消滅したか否かを判断し、ジョブが残っている場合に、Ｓ１０４の処理に戻って印刷処理及び後処理を継続し、ジョブが残っていない場合に、処理を終了して、新たにジョブが投入されるまで待機状態となる。
【００３３】
図５は、後処理装置３０によってなされうる後処理と、これらの後処理に関する解除措置とを例示する。
図５に例示するように、後処理装置３０は、ステープル処理、用紙排出処理、パンチ処理、コイルバインダー処理、テープバインダー処理、のり付け製本、及び、用紙裁断などを後処理として実行する。
ステープル処理を行なう後処理装置３０に関しては、ステープル針が無くなったときと、ステープル針屑が屑入れに満杯になったときとが、後処理能力の限界であり、解除措置の対象となる。したがって、ステープル針が次のジョブの処理中に不足すると判断された場合に、解除措置通知部５３０は、ステープル針の補充を促すメッセージを表示させ、ジョブ入替部５３４は、ステープル針の補充が所定のタイミングまでになされなかった場合に、このステープル針を使用しない後続ジョブを探索する。また、ステープル針屑が次のジョブの処理中に満杯になると判断された場合に、解除措置通知部５３０は、ステープル針屑の除去を促すメッセージを表示させ、ジョブ入替部５３４は、ステープル針屑が所定のタイミングまでに除去されなかった場合に、ステープル針屑が発生させない後続ジョブを探索する。
同様に、用紙排出を行なう後処理装置３０に関しては、排紙トレイが用紙で満杯になったときが、後処理能力の限界であり、解除措置の対象となる。したがって、排紙トレイが次のジョブの処理中に満杯になると判断された場合に、解除措置通知部５３０は、排紙トレイから印刷用紙を除去するよう促すメッセージを表示させ、ジョブ入替部５３４は、排紙トレイの印刷用紙が所定のタイミングまでに除去されなかった場合に、この排紙トレイを使用しない後続ジョブを探索する。
【００３４】
また、パンチ処理を行なう後処理装置３０に関しては、屑入れのパンチ屑が満杯になったときが、後処理能力の限界であり、解除措置の対象となる。したがって、パンチ屑の屑入れが次のジョブの処理中に満杯になると判断された場合に、解除措置通知部５３０は、パンチ屑の除去を促すメッセージを表示させ、ジョブ入替部５３４は、パンチ屑の除去が所定のタイミングまでになされなかった場合に、パンチ屑が生じない後続ジョブを探索する。
同様に、コイルバインダー処理又はテープバインダー処理を行なう後処理装置３０に関しては、コイルが不足したとき、又は、テープが不足したときが、後処理能力の限界であり、解除措置の対象となる。したがって、コイル又はテープが次のジョブの処理中に不足すると判断された場合に、解除措置通知部５３０は、コイル又はテープの補充を促すメッセージを表示させ、ジョブ入替部５３４は、コイル又はテープの補充が所定のタイミングまでになされなかった場合に、コイル又はテープを使用しない後続ジョブを探索する。
【００３５】
また、のり付け製本を行う後処理装置３０に関しては、製本に使用するのりが不足するときが、後処理能力の限界であり、解除措置の対象となる。したがって、製本用のりが次のジョブの処理中に不足すると判断された場合に、解除措置通知部５３０は、製本用のりの補充を促すメッセージを表示させ、ジョブ入替部５３４は、製本用のりの補充が所定のタイミングまでになされなかった場合に、製本用のりを使用しない後続ジョブを探索する。
同様に、用紙裁断を行なう後処理装置３０に関しては、裁断屑で屑入れが満杯になったときが、後処理能力の限界であり、解除措置の対象となる。したがって、次のジョブの処理中に屑入れが裁断屑で満杯になると判断された場合に、解除措置通知部５３０は、裁断屑の除去を促すメッセージを表示させ、ジョブ入替部５３４は、裁断屑の除去が所定のタイミングまでになされなかった場合に、裁断屑が生じない後続ジョブを探索する。
【００３６】
次に、画像形成システム１の他の動作例を説明する。
図６は、画像形成システム１における給紙処理の動作（Ｓ２０)を例示するフローチャートである。
図６に示すように、ステップ２０２（Ｓ２０２）において、画像処理装置１０の制御装置１００は、操作者のコンピュータ端末からジョブを受信すると、ジョブの受信順に、印刷処理を開始するよう画像形成装置１０の各構成（給紙装置２０及びプリントエンジンなど）を制御する。
【００３７】
ステップ２０４（Ｓ２０４）において、制御装置１００（制御プログラム５）のジョブ検索部５００は、ジョブが複数存在するか否かを判断し、ジョブが複数存在する場合に、Ｓ２０６の処理に移行し、ジョブが複数存在しない場合に、Ｓ２２０の処理に移行する。
【００３８】
ステップ２０６（Ｓ２０６）において、ジョブ検索部５００は、次のジョブで指定された印刷用紙及びその要求枚数を特定し、特定された印刷用紙及び要求枚数を決定部５２０に通知する。
なお、処理能力監視部５１０は、給紙装置２０に設けられたセンサからの情報に基づいて、各給紙装置２０の処理能力（すなわち、印刷用紙の残枚数）を監視し、決定部５２０に出力している。
【００３９】
ステップ２０８（Ｓ２０８）において、決定部５２０は、ジョブ検索部５００から通知された印刷用紙及び要求枚数と、処理能力監視部５１０から入力された各印刷用紙の残枚数とを比較して、次のジョブにおいて給紙が可能であるか否か（すなわち、次のジョブで要求される印刷用紙の要求枚数が、給紙装置２０に残っている印刷用紙の枚数を超えるか否か）を判断する。
制御プログラム５は、決定部５２０により給紙が可能であると判断された場合に、Ｓ２２０の処理に移行し、給紙が不可能であると判断された場合（すなわち、次のジョブで印刷用紙が不足すると判断された場合）に、Ｓ２１０の処理に移行する。
【００４０】
ステップ２１０（Ｓ２１０）において、装置制御部５３０の解除措置通知部５３２は、決定部５２０により給紙が不可能であると判断された場合（すなわち、次のジョブで指定された印刷用紙の補充が必要である場合）に、給紙装置２０に対する解除措置（すなわち、印刷用紙の補充）を促すメッセージを操作部４０に表示させる。
操作者は、操作部４０に表示されたメッセージによって、次のジョブが開始される前に、印刷用紙の補充が必要であることを知ることができる。
【００４１】
ステップ２１２（Ｓ２１２）において、装置制御部５３０は、解除措置検出部５４０による検出結果に基づいて、次のジョブが開始されるまでに印刷用紙の補充がなされたか否かを判断する。なお、解除措置検出部５４０は、給紙装置２０に残っている印刷用紙の枚数を監視しており、印刷用紙の増加（すなわち、印刷用紙の補充）を検出すると、その旨を装置制御部５３０に出力する。
制御プログラム５は、次のジョブが開始されるまでに印刷用紙の補充がなされた場合に、Ｓ２２０の処理に移行し、これ以外の場合に、Ｓ２１４の処理に移行する。
【００４２】
ステップ２１４（Ｓ２１４）において、ジョブ入替部５３４は、次のジョブの開始までに印刷用紙が補充されていない場合に、次のジョブと異なる印刷用紙（すなわち、給紙トレイ）を指定する後続ジョブを検索する。
【００４３】
ステップ２１６（Ｓ２１６）において、制御プログラム５は、異なる印刷用紙を指定する後続ジョブが存在する場合に、Ｓ２１８の処理に移行し、存在しない場合に、Ｓ２２０の処理に移行する。
【００４４】
ステップ２１８（Ｓ２１８）において、ジョブ入替部５３４は、次のジョブと、発見された後続ジョブ（異なる印刷用紙を使用するジョブ）との順序を入れ替える。
【００４５】
ステップ２２０（Ｓ２２０）において、制御装置１００は、投入されているジョブに従って、印刷処理を続行するよう、画像形成装置１０の各構成（給紙装置２０及びプリントエンジン）を制御する。
【００４６】
ステップ２２２（Ｓ２２２）において、制御装置１００は、投入されたジョブが全て処理されて消滅したか否かを判断し、ジョブが残っている場合に、Ｓ２０４の処理に戻って印刷処理を継続し、ジョブが残っていない場合に、処理を終了して、新たにジョブが投入されるまで待機状態となる。
【００４７】
以上説明したように、本実施形態の画像形成システム１は、複数のジョブが投入されている場合に、処理中のジョブだけでなく、その後続のジョブもチェックして、画像形成装置１０又は後処理装置３０におけるダウンタイムの発生を予測して、適切な解除措置を予め操作者に提示する。
【００４８】
［変形例］
なお、上記実施形態では、操作者に対する通知（解除措置を促すメッセージの表示）を、ジョブの順序入替えの前提条件としているが、これに限定されるものではなく、例えば、操作者に対する通知と、ジョブの順序入替えとを並行して実施してもよいし、ジョブの順序入替えを行なった後に、操作者に対する通知を行ってもよい。
【図面の簡単な説明】
【００４９】
【図１】画像形成システム１を例示する図である。
【図２】制御装置１００（図１）にインストールされた制御プログラム５の機能構成を例示する図である。
【図３】ジョブの入替えを例示する図である。
【図４】画像処理システム１における後処理の動作（Ｓ１０)を例示するフローチャートである。
【図５】後処理装置３０によってなされうる後処理と、これらの後処理に関する解除措置とを例示する。
【図６】画像処理システム１における給紙処理の動作（Ｓ２０)を例示するフローチャートである。
【符号の説明】
【００５０】
１・・・画像形成システム
１０・・・画像形成装置
１００・・・制御装置
２０・・・給紙装置
３０・・・後処理装置
５・・・制御プログラム
５００・・・ジョブ検索部
５１０・・・処理能力監視部
５２０・・・決定部
５３０・・・装置制御部
５３２・・・解除措置通知部
５３４・・・ジョブ入替部
５４０・・・解除措置検出部
【図１】
0005083609.tif 000002
【図２】
0005083609.tif 000003
【図３】
0005083609.tif 000004
【図４】
0005083609.tif 000005
【図５】
0005083609.tif 000006
【図６】
0005083609.tif 000007